(57)【要約】      （修正有）【課題】耐荷重強度に優れ、ビス（木ねじ）締結による板面変形が小さく、材料コストが抑えられ、施工時の手間と時間を削減させる、留付け金具を提供する。【解決手段】背板部２の中央の上部個所に下地材に取り付ける木ねじ又はビスを挿通させる通孔２ａが開設され、通孔２ａの周囲に座面２ｂがあり、該座面２ｂの下端部が背板２の下端縁に近接する位置に設けられ、上枠部４の下端部における座面近傍個所が、座面２ｂの上部を避ける位置まで上方に後退した、該座面の外周よりも大きな、正面視略半円弧状を有している。【選択図】図２
0003169899.tif 000002
【実用新案登録請求の範囲】
【請求項１】
建築用外壁板を建物の下地材に取り付けるためにネジ及び／または釘とともに用いられる留付け金具であって、
左枠部と右枠部の各上部間には、下端部に向かうに従って若干前方に膨出した上枠部が一体形成され、該上枠部の下方には、前記下地材に当接可能な背面を有する背板部が一体形成され、該背板部の下端部から前方水平に向けて水平板部が折曲形成され、該水平板部の前端には、下段の外壁板の上縁部を支承する下方に向けた垂下板部と、上段の外壁板の下縁部を支承する斜め前上方に向けた傾斜板部とが、横方向に並んで折曲形成され、
前記背板部の左右方向を二分する中央の上部個所には、前記留付け金具を前記下地材に取り付ける木ねじ又はビスを挿通させる通孔が開設され、該通孔の周囲には前記木ねじの頭部背面が当接する座面を有し、
前記通孔と前記座面は、該座面の下端部が前記背板の下端縁に近接する位置にあり、
前記上枠部の下端部における前記座面近傍個所は、該座面の上部を避ける位置まで上方に後退した、該座面の外周よりも大きな、正面視略半円弧状を有していることを特徴とする留付け金具。
【請求項２】
前記上枠部に、釘を挿通させる複数個の通孔が横方向に並んで開設されている、請求項１に記載の留付け金具。
【請求項３】
前記左枠部と前記右枠部の各下端部との間に下枠部が一体形成されている、請求項１又は２に記載の留付け金具。
【請求項４】
前記垂下板部には、前記建築用外壁板の上端縁前面部に食い込ませる低段の突起が後方に向けて形成されている、請求項１乃至３のいずれかの項に記載の留付け金具。
【考案の詳細な説明】
【技術分野】
【０００１】  本考案は、建築用外壁板を建物の下地材に取り付ける留付け金具に関する。
【背景技術】
【０００２】  最近の家屋等の建築物における外壁の大半は、予め工場で製造された陶製の建築用外壁板で形成されている。
そして、建築用外壁板の建築物の下地材に向けた固定には、特許文献１及び特許文献２に例示される留付け金具が用いられており、留付け金具の下地材に向けた取り付けには、木ねじや釘が用いられている。【０００３】  特許文献１の図１に示す留付け金具１０は、基板部１１の上部寄りとなる高さ途中面が若干前方に傾斜に傾斜した膨出面３２にて形成され、この膨出面３２に釘孔３４，３４，３４が横方向に並んで開設されている。また、基板部１１の下部面にも、ビス孔３１，３１，３１が横方向に並んで開設されている。【０００４】  特許文献２の図４及び図５に示す取付金具（留付け金具）１１は、上端の当接片部１２と下部の当接部２１が下地材に接する面になり、当接片部１２と当接部２１との間には、前方に膨出した斜片部１３と支持片部１４とが設けられている。そして、斜片部１３には釘を挿通させる通孔２８，２８，２８が開設されており、支持片部１４の中央にも止着材（ビス）４４を挿通させる通孔２９を有する凹陥部２６が形成されている。
【先行技術文献】
【特許文献】
【０００５】
【特許文献１】特開２００４−３３９７１４号公報の図１
【特許文献２】特開平１０−２０８９号公報の図１乃至図５
【考案の概要】
【考案が解決しようとする課題】
【０００６】  特許文献１の図１に示す留付け金具１０は、基板部１１の下部面にビス孔３１，３１，３１が３個所設けてあるが、３本のビスを用いて留付け金具１０を下地材に取り付けると、手間と時間と材料コストが掛かり、外壁板の施工コストの増加を招く。ビスを用いることなく釘を用いて留付け金具１０を下地材に取り付けると、経年による取付強度の緩みが生じ易い。３箇所のビス孔３１，３１，３１のうち、中央のビス孔３１のみにビスを挿通させる施工を行うと、材料コストと施工コストが抑えられるが、ビスの強い締付けによりこのビス孔３１の周辺板面部分に変形が生じ易い。【０００７】  特許文献２の図４及び図５に示す留付け金具（取付金具）１１は、下地材４１に向けた取り付け施工において、凹陥部２６の底が下地材４１の表面から前方に浮いて位置しているため、凹陥部２６内から下地材４１に向けて止着材（ビス）４４を螺入させて、該止着材（ビス）４４を強く締結させると、凹陥部２６はその周辺面とともに前方に変形するおそれがある。そして、この変形は、外壁板の取付姿勢に影響を及ぼすことがある。【０００８】  本考案は、耐荷重強度に優れ、ビス（木ねじ）締結による板面変形が小さく、材料コストが抑えられ、施工時の手間と時間を削減させる、留付け金具を提供することを解決課題とする。
【課題を解決するための手段】
【０００９】  請求項１の考案に係る留付け金具は、
建築用外壁板を建物の下地材に取り付けるためにネジ及び／または釘とともに用いられる留付け金具であって、
左枠部と右枠部の各上部間には、下端部に向かうに従って若干前方に膨出した上枠部が一体形成され、該上枠部の下方には、前記下地材に当接可能な背面を有する背板部が一体形成され、該背板部の下端部から前方水平に向けて水平板部が折曲形成され、該水平板部の前端には、下段の外壁板の上縁部を支承する下方に向けた垂下板部と、上段の外壁板の下縁部を支承する斜め前上方に向けた傾斜板部とが、横方向に並んで折曲形成され、
前記背板部の左右方向を二分する中央の上部個所には、前記留付け金具を前記下地材に取り付ける木ねじ又はビスを挿通させる通孔が開設され、該通孔の周囲には前記木ねじの頭部背面が当接する座面を有し、
前記通孔と前記座面は、該座面の下端部が前記背板の下端縁に近接する位置にあり、
前記上枠部の下端部における前記座面近傍個所は、該座面の上部を避ける位置まで上方に後退した、該座面の外周よりも大きな、正面視略半円弧状を有しているところに特徴がある。【００１０】  本考案の留付け金具は、前記背板部の前方から前記取付用孔内に向けて木ねじを挿通させ、該木ねじを前記下地材に螺入する方法で、下地材の前面に取り付けられる。
この取り付けにおいては、ビス（木ねじ）頭部の背面が前記座面に密着した状態で当接して、該頭部と下地材との間に前記座面が挟み付けられる。
木ねじは、前記座面の変形を防止させるため、頭部の背面が傾斜していないナベ頭の木ねじの使用が望まれる。【００１１】  上記取り付けにおいては、前記背板部の一部である前記座面が該背板部とともに下地材に当接する低段面を有しているため、座面を含めた背板全体が下地材に密着する。
とくに、本考案の留付け金具では、前記座面の下端部が前記背板の下端縁に近接する位置にあり、更に、前記上枠部の下端部は、前記座面の上部を避ける位置まで上方に後退して、該座面の外周よりも大きな、正面視略半円弧状を有していることにより、背板の上下高さは抑えられている。
前記座面よりも前方に膨出した正面視略半円弧状部分は、形状面における強度があるため、留付け金具をビス（木ねじ）を用いて下地材に取り付けるときにビス（木ねじ）を締結させても、前記通孔周辺個所の変形のおそれが殆どない。【００１２】  前記左枠部と右枠部は、前方に若干膨出した形状、前方に突出した側壁形状のいずれであっても構わないが、少なくとも後端部は前記背板部とともに前記下地材に当接する位置にある。【００１３】  請求項２の考案に係る留付け金具は、更に、前記上枠部に、釘を挿通させる複数個の通孔が横方向に並んで開設されている。【００１４】  請求項１の考案に係る留付け金具は、ビス（木ねじ）を用いて下地材に取り付けるタイプの留付け金具であるが、請求項２の考案に係る留付け金具は、ビス（木ねじ）を用いた取り付け、ビス（木ねじ）と釘を用いた取り付け、釘を用いた取り付け、のいずれかが選択できる留付け金具とした。
尚、請求項２の考案に係る留付け金具は、請求項１の考案における特徴を全て備えている。【００１５】  請求項３の考案に係る留付け金具は、請求項１又は２に記載の留付け金具において、前記左枠部と前記右枠部の各下端部との間に下枠部が一体形成されている。【００１６】  請求項１，２の考案に係る留付け金具は、下枠部が設けられていないタイプの留付け金具であるが、請求項３の考案に係る留付け金具は、更に、この下枠部が設けられている。【００１７】  請求項４の考案に係る留付け金具は、請求項１乃至３のいずれかの項に記載の留付け金具において、前記垂下板部には、前記建築用外壁板の上端縁前面部に食い込ませる低段の突起が後方に向けて形成されている。【００１８】  外壁板の施工においては、外壁板の上端縁部に留付け金具を掛止させた状態で、外壁板の上端縁部に向けた立て起こしが行われる。留付け金具は外壁板の上端縁部を丁度嵌合させる寸法があるが、外壁板の上端縁部に、微細な凹凸や欠けなどがあると、外壁板の立て起こしの途中で留付け金具が脱落するおそれがある。
請求項４の考案に係る留付け金具では、このような不具合を解消させるため外壁板の上端縁前面部に食い込ませる低段の突起を設けて、上記挟み付けを確実に、しかも楽な操作で行えるようにした。
【考案の効果】
【００１９】  本考案に係る留付け金具によれば、いずれも前記座面の下端部を前記背板の下端縁に近接させ、前記上枠部の下端部を、該座面の上部を避ける位置まで上方に後退させて、該座面の外周よりも大きな、正面視略半円弧状とした結果、背板の上下高さが抑えられ、延いては、材料コストが抑えられた留付け金具にすることができるようになった（図１０、図１５参照）。
また、前記上枠部の下端部の中央を、前記座面よりも前方に膨出した正面視略半円弧状部分とした結果、ビス（木ねじ）止めするための通孔の周辺面の強度が向上し、ビス（木ねじ）の締結によるこの周辺面の変形のおそれが殆どなくなった。【００２０】  請求項２の考案に係る留付け金具によれば、ビス（木ねじ）を用いた取り付け、ビス（木ねじ）と釘を用いた取り付け、釘を用いた取り付け、のいずれにも対応できる留付け金具についても、請求項１による上記効果が得られるようになった。【００２１】  請求項３の考案に係る留付け金具によれば、前記左枠部と前記右枠部の各下端部との間に下枠部が一体形成された留付け金具についても、請求項１による上記効果が得られるようになった。【００２２】  請求項４の考案に係る留付け金具によれば、上記効果に加えて、前記垂下板部に、建築用外壁板の上端縁前面部に食い込ませる低段の突起が後方に向けて形成した結果、外壁板の立て起こしの途中における留付け金具の脱落が防止できるようになった。
【図面の簡単な説明】
【００２３】
【図１】本考案第１実施形態に係る留付け金具の斜視図。
【図２】同じく正面図。
【図３】図２におけるＩ−Ｉ断面図。
【図４】（ａ）は図２におけるＩＩ−ＩＩ断面図、（ｂ）はその一部拡大断面図。
【図５】図２の一部拡大断面図。
【図６】（ａ）は外壁板を立て起こす作業状態を示した斜視図、（ｂ）は留付け金具を掛止させた状態の外壁板上部を示した拡大側面断面図。
【図７】本考案第１実施形態に係る留付け金具を下地材に取り付けて示した正面図。
【図８】同じく平面断面図。
【図９】同じく側面断面図。
【図１０】本考案第１実施形態に係る留付け金具と従来の留付け金具を対比させて示した正面図。
【図１１】本考案第２実施形態による留付け金具を示した斜視図。
【図１２】同じく正面図。
【図１３】図１２におけるＩ−Ｉ断面図。
【図１４】本考案第２実施形態に係る留付け金具を下地材に取り付けて示した側面断面図。
【図１５】本考案第１実施形態に係る留付け金具と従来の留付け金具を対比させて示した正面図。
【考案を実施するための形態】
【００２４】  本考案を実施するための形態を次の実施例において詳述する。
【実施例】
【００２５】〔第１実施形態の留付け金具〕
図１乃至図５に示す本考案第１実施形態の留付け金具１Ａは、上枠部４と左枠部３Ｌと右枠部３Ｒと下枠部５とによる金属薄板をプレス成型して出来た枠形を有する。左枠部３Ｌと右枠部３Ｒと下枠部５の各長尺方向に沿う中央面は前面に膨出する方向に屈曲している。上枠部４は上端縁４ａに沿う近傍面から下端部に向かうに従って、左枠部３Ｌ及び右枠部３Ｒの前端近くの高さまで、前方に膨出する方向に傾斜している。【００２６】  この留付け金具１Ａによれば、上枠部４の下端部から下方に向けて、後方に若干後退した低段面からなる背板部２が一体形成されている。背板部２の下端部から前方水平には水平板部６が折曲形成されている。水平板部６の前端中央個所から前方には若干の高さを有する低段面７ａが折曲形成され、低段面７ａの下端部から下方に垂下板部７が折曲形成されている。そして、更に、水平板部６の前端左右個所から斜め上前方に向けて、上段の外壁板の下縁部を掛止させる左右の傾斜板部８Ｌ，８Ｒが折曲形成されている。【００２７】  また、この留付け金具１Ａによれば、水平板部６、垂下板部７、左右の傾斜板部８Ｌ，８Ｒが、プレス成型による前方に向けた切り起こしにより形成され、これにより残った左枠部３Ｌと右枠部３Ｒと背板部６及び下枠部５により囲まれた内側には、正面視略方形状の開口１１が形成されている。【００２８】  左枠部３Ｌ及び右枠部３Ｒの各外側縁と各内側縁の各後端部、下枠部５の上端縁と下端縁の各後端部、背板部２の背面は、いずれも、留付け金具１Ａを平坦な下地材の表面に同時に当接させ得る前後位置関係にある。【００２９】  左枠部３Ｌ及び右枠部３Ｒの各前端面から垂下板部７の背面に至る前後間隔は、建築用外壁板の上端縁部に丁度嵌め込むことができる間隔とされている。左枠部３Ｌ及び右枠部３Ｒの各前端面から左右の傾斜板部８Ｌ，８Ｒの背面に至る前後間隔は、建築用外壁板の下縁部に丁度嵌め込むことができる間隔とされている。【００３０】  この留付け金具１Ａは、釘、ビス（木ねじ）のいずれかまたは双方を用いて建築物の下地材に取り付けられる。この取り付けを可能にするため、上枠部４の左右方向を三等分する上部寄りの各個所に、釘（又は木ねじ）の軸部を挿通させる釘孔４ｂ，４ｃ，４ｄが開設され、背板部２の中央上部個所に、木ねじ（又は釘）の軸部を挿通させる通孔２ａが開設されている。【００３１】  通孔２ａの周囲は、ビス（木ねじ）の頭部背面が接する座面２ｂが形成されている。座面２ｂの下端部は、背板２の下端縁に近接する位置にある。
座面２ｂの上部の両側には、上枠部４と背板部２の境界になる斜面４ｆが形成されている。上枠部４の下端部はこの斜面４ｆを含み、上枠部４の下端部の左右長さ方向を二分する中央個所の斜面４ｅは、座面２ｂの上部を避ける位置まで上方に後退した、正面視略半円弧状を有している。このため、座面２ｂの周囲は、半円弧状から左右両側に向けた斜面４ｆと正面視略半円弧状の斜面４ｅを含む、形状安定性が優れた凹凸形状を有している。【００３２】  留付け金具１Ａを用いた外壁板の取り付け施工では、図６（ａ）に示すように、外壁板５０の上端縁部に留付け金具１Ａ，１Ａ，１Ａを掛止めた状態で、外壁板５０を立て起こして、外壁板５０を建築物の下地材前面に沿わせる作業が行われる。
留付け金具１Ａを外壁板５０の上端縁部５０ａに向けて掛け止める作業は、図６（ｂ）に示すように、垂下板部７の背面と、左枠部３Ｌ及び右枠部３Ｒ並びに下枠部５の各前端部との間に、外壁板５０の上端縁部５０ａを突入させる方法で行われる。【００３３】  図６（ｂ）に示すように、垂下板部７の背面と左枠部３Ｌ及び右枠部３Ｒの各前端部との間には、外壁板５０の上端縁部５０ａを挟み付ける程度の前後間隔があるが、上端縁部５０ａの前面に若干の凹凸、傷、欠け等があると、上述した挟み付けが十分に行われず、外壁板５０を立て起こす途中で留付け金具１Ａが脱落するおそれがある。
この不具合を防止させるのが、垂下板部７の背面略中央個所から後方に向けて設けられている低段の突起７ｂである。この実施例における突起７ｂはプレス加工により形成された切り起こしで形成されている。突起７ｂは上記突入時に外壁板５０の上端縁部５０ａの前面に食い込ませて、留付け金具１Ａの脱落を防止させる。突起７ｂには、この食い込みを容易にさせ、留付け金具１Ａの脱落をし難くさせる方向の傾斜面がある、例えば船形形状を有する。しかし、突起７ｂはこの形状に限定されず、例えば、後方に向けたバリ又はカエリであってもよい。【００３４】  図７乃至図９に示すように、留付け金具１Ａは、下段の外壁板５０の上端縁部５０ａに掛け止めた状態で、ビス（木ねじ）５０と釘５１，５１，５１を用いて下地材１００の前面に取り付けられる。
ビス（木ねじ）５０を通孔２ａ内から下地材１００に向けて螺入させて締結させると、留付け金具１Ａの背板部２が強固に下地材１００に取り付けられる。このとき、背板部２の背面全体、左枠部３Ｌ及び右枠部３Ｒの各外側縁と各内側縁の各後端部、下枠部５の上端縁と下端縁の各後端部が、下地材１００の表面に接した状態にあり、このため、留付け金具１Ａの反り方向の変形は殆ど生じない。【００３５】  図１０は本考案第１実施形態に係る留付け金具と従来の留付け金具を対比させて示している。
図１０の左図に示す従来品の留付け金具は、横幅Ｗ１が５８ｍｍ、上下高さＨ１が４３．２ｍｍであり、上枠部４と背板部２とを合わせた上下高さＳ１は１３．１ｍｍである。
これに対し、右図に示す本考案第１実施形態による試作品の留付け金具１Ａによれば、横幅Ｗ１が５７ｍｍと従来品の留付け金具と略同様であるが、背板部２の上下高さを抑えることによって、全体の上下高さＨ２を３６．８ｍｍにすることができた。このため、使用材料を斜線で示す広さ相当分である約１６％、抑えられている。【００３６】〔第２実施形態の留付け金具〕
図１１乃至図１３に示す本考案第２実施形態の留付け金具１Ｂは、前方に大きく突出した左枠部３Ｌと右枠部３Ｒとを有し、左枠部３Ｌと右枠部３Ｒの下部間に下枠が設けられていない形状を有する。この留付け金具１Ｂは左枠部３Ｌと右枠部３Ｒが前方に大きく突出している分、水平板部６の前後幅が長くなっている。この留付け金具１Ｂは図１４に示すように、ビス（木ねじ）５０，５０を用いて下地材１００に取り付ける構造を有する。その他の各部については、図１１乃至図４に示す前述した第１実施形態の留付け金具１Ａと同じ構造及び作用効果をもつ。【００３７】  図１５に示すように、この第２実施形態の留付け金具１Ｂによれば、背板部２の上下高さを低くしたことによって、使用材料が斜線で示す広さ相当分である約２４％、抑えられている。
【産業上の利用可能性】
【００３８】  本考案に係る留付け金具は、建築物の外壁施工において、予め工場で製造された外壁板を建物の下地材に取り付けるときに使用される、外壁板の取り付けに必須の金具である。このため、建築分野において利用可能性がある。
【符号の説明】
【００３９】    １Ａ  本考案第１実施形態の留付け金具
１Ｂ  本考案第２実施形態の留付け金具
２    背板部
２ａ  通孔
２ｂ  座面
３Ｌ  左枠部
３Ｒ  右枠部
４    上枠部
５    下枠部
６    水平板部
７    垂下板部
７ｂ  突起
８Ｌ  傾斜板部
８Ｒ  傾斜板部
５０    外壁板
５１    外壁板
１００    下地材
【図１】
0003169899.tif 000003
【図２】
0003169899.tif 000004
【図３】
0003169899.tif 000005
【図４】
0003169899.tif 000006
【図５】
0003169899.tif 000007
【図６】
0003169899.tif 000008
【図７】
0003169899.tif 000009
【図８】
0003169899.tif 000010
【図９】
0003169899.tif 000011
【図１０】
0003169899.tif 000012
【図１１】
0003169899.tif 000013
【図１２】
0003169899.tif 000014
【図１３】
0003169899.tif 000015
【図１４】
0003169899.tif 000016
【図１５】
0003169899.tif 000017